(57)【要約】【課題】本発明は、足の悪い人が日常使用する、杖に関し、レストラン等のテーブルあるいは机に杖を掛けて置く時、杖がテーブルあるいは机から滑り落ちにくいようにするための技術に関する。【解決手段】杖本体部の下部に先端部が取り付けられており、上部には握り部を設けている一般的な杖の、握り部の略先端部に嵌めて取り付けることを特徴とする、杖の立て掛け用リング。リングが弾性体、あるいは、金・白金・クロムなどのメッキ加工をした金属のリング下部に弾性体を挿入したもの、もしくは、金・白金・チタン・ステンレス鋼などの錆びない金属のリング下部に弾性体を挿入したもの、であることを特徴とする、杖の立て掛け用リング。これら、杖の立て掛け用リングを付属した、杖。【選択図】  図１
2006262953.tif 000002
【特許請求の範囲】
【請求項１】
杖本体部の下部に先端部が取り付けられており、上部には握り部を設けている一般的な杖の、握り部の略先端部に嵌めて取り付けることを特徴とする、杖の立て掛け用リング。
【請求項２】
リングが弾性体、あるいは、金・白金・クロムなどのメッキ加工をした金属のリング下部に弾性体を挿入したもの、もしくは、金・白金・チタン・ステンレス鋼などの錆びない金属のリング下部に弾性体を挿入したもの、であることを特徴とする、請求項１に記載の杖の立て掛け用リング。
【請求項３】
請求項１または請求項２に記載の杖の立て掛け用リングを付属したことを特徴とする、杖。
【発明の詳細な説明】
【技術分野】
【０００１】
本発明は、足の悪い人が日常使用する、杖に関し、レストラン等のテーブルあるいは机に杖を掛けて置く時、杖がテーブルあるいは机から滑り落ちにくいようにするための技術に関する。
【背景技術】
【０００２】
高齢化社会の進行とともに、杖を使用して歩行している人が多い。それらの杖は、大部分は、杖本体部の下部に先端部が取り付けられており、上部には握り部を設けている一般的な形状の杖である。また、それらの杖は、長さの調整が可能であったり、折り畳んだりすることが可能であったりするものも広く普及している。
【０００３】
杖の長さの微調整を可能とした実開平７−３４８の金属パイプ製杖。そして、歩行補助具としてステッキの構造に関するもので、長時間使用しても手首が疲れないもの、特開平１０−９９１１２のステッキがあった。また、杖の握り部に突起を取り付けた杖を使用することによって、自然に手のひらの指圧を行うことになる、実開平６−２９４２１の杖の部分に突起をつけた杖があった。さらに、杖を使用中に、グリップを握る手が汗等で滑ることを防止する実願平７−５９５９のすべり止め付きグリップがあった。
【０００４】
ところで、杖は足の悪い人にとっては、なくてはならないものであるが、レストラン等のテーブルあるいは机に杖を、ちょいと置く際、時々、滑り落ちることがある。滑り落ちると音がして、周りの人の注目を浴びるだけでなく、足が悪いので床からなかなか拾い上げるのがたいへんである。この点を解決するのに、すでに提案されている技術として以下のようなものがある。
【０００５】
特開２００４−１２３５４３号公報（特許文献1）には、本体の下部に滑り止めのゴム チップを取り付け、上部には握り部を設けている一般的な杖を使用しないときに、吊しておく時は、握り部の先端下部に穴を開け、滑り止めのため、棒状の支点部を差し込んで取り付けることを特徴とする杖。について開示されている。図１１。
【０００６】
特開２００４−１２３５４３号公報（特許文献２）には、握り部の下方に突起物を設け、その先端に滑り止め部材を設けた杖。について開示されている。図１２。
【０００７】
しかしながら、これらの技術では、すでに購入した杖に加工するのに店舗に持ち込んだりする必要があったり、概観的にも好ましくなかったりする。その理由の一つには、杖は日常的に使用するので、デザイン的にも使用者の好みがあり、特に握り部については、木製の表面を磨いて艶出し加工したものが多く使用されており、購入してから、握り部に穴をから空けることや、突起物を取り付けることをあまり好まないものである。また、杖をレストラン等のテーブルあるいは机に杖を掛けて置く時、杖の握り部２ａに掛けようとするのであるが、杖本体部の長さは、通常８０ｃｍ前後であるのに対して、テーブルあるいは机の高さは、７０ｃｍであり、杖は横向きになってしまい、握り部の表面が滑らかであることもあり、杖が滑り、床に落ちることが多々ある。
【特許文献１】特開２００４−１２３５４３号公報
【特許文献２】特開２００４−１２３５４３号公報
【発明の開示】
【発明が解決しようとする課題】
【０００８】
本発明は、足の悪い人が日常使用する、杖に関し、レストラン等のテーブルあるいは机に杖を掛けて置く時、杖がテーブルあるいは机から滑り落ちにくいようにすることを課題とするものである。
【課題を解決するための手段】
【０００９】
杖を立て掛けて置く場合、病院ベッドに立て掛ける場合は、図７に示すように、ペットボトルを切断して立て掛け用の器具を取り付けて、ベッドの支柱に杖を差し込むようにする。図８に示すように、壁にフックがある場合は、壁のフックに杖のベルトを利用して杖を引っ掛けるよういする。図９に示すように、杖本体部に取り付けた、先端にゴムの付いた固定用ピンが付属している杖では、ピンを利用して机に掛ける（しかし、ピンの取り付け部を回転させたりして、ピンを出すことが通常必要となり、ややめんどうでもあり、杖本体部のデザインがやや悪くなる）。図１０に示すのは、最も一般的な杖を机に立て掛けた図である。日常では、レストラン等のテーブルあるいは机に杖を掛けて置く時このように立て掛けて置くことが多い。というのは、テーブルあるいは机の付近に、杖を立て掛けるためのフックや、器具が置かれてない為である。その為、図１０に示したように、杖をレストラン等のテーブルあるいは机に杖を掛けて置く時、杖の握り部２ａに掛けようとするのであるが、杖本体部１の長さは、通常８０ｃｍ前後であるのに対して、テーブルあるいは机の高さは、７０ｃｍであり、杖は、図１０に示すように横向きになってしまい、握り部の表面が滑らかであることもあり、杖が滑り、床に落ちることが多々ある。
【００１０】
というのは、最近の杖は、持つ人がデザインをかなり重視するので、握り部は、木製で磨いたもので、表面を艶出し加工したものが多く、デザインもシンプルなものが好まれており、図６に示した指の形状に合うようにした杖の握り部よりも、図５に示した最も一般的な杖の握り部の形状のものが多いからである。
【００１１】
この問題を解決するために、前述したように、図１１に示すように、杖本体部の先端部に滑り止めのゴムチップを取り付け、上部には握り部を設けている一般的な杖を使用しないときに、吊しておく時は、握り部の先端下部に穴を開け、滑り止めのため、棒状の支点部を差し込んで取り付けることを特徴とする杖や、図１２に示すように、握り部の下方に突起物を設け、その先端に滑り止め部材を設けた杖なるものがすでに提案されているが、これらの杖は、最初からそのような杖を買う必要があったり、店に持ち込んで加工してもらったりする必要がある。また、突起物が握る際の邪魔になり、また握り部のデザイン性を悪くし、杖に愛着が持てないようになることもありうる。また前述のように、通常、杖をレストラン等のテーブルあるいは机に杖を掛けて置く時、杖の握り部２ａに掛けようとするのであるが、杖本体部の長さは、通常、テーブルあるいは机の高さはよりも長く、杖は横向きになってしまうので、握り部の一点を支点として杖を支える作用の器具を付属するよりも、握り部の下部を点でない作用面で滑り止め効果を機能させるようなリング構造の滑り止め具（立て掛け用リング）を付属する方が、より実用的である。
【００１２】
よって、足の悪い人が日常使用する、杖に関し、レストラン等のテーブルあるいは机に杖を掛けて置く時、杖がテーブルあるいは机から滑り落ちにくいようにするという本課題の解決の為に、握り部の材質、デザイン性、購入済みの杖にも容易に取り付けることができることを配慮したリング構造の滑り止め具（立て掛け用リング）、およびそれを付属した杖を提供するものである。
【００１３】
すなわち、本発明は、以下の構成を要旨とする。
（１）杖本体部の下部に先端部が取り付けられており、上部には握り部を設けている一般的な杖において、該杖を使用しないときに立て掛けておくための、握り部の略先端部に嵌めて取り付けることを特徴とする、杖の立て掛け用リング。
（２）リングが弾性体、あるいは、金・白金・クロムなどのメッキ加工をした金属のリング下部に弾性体を挿入したもの、もしくは、金・白金・チタン・ステンレス鋼などの錆びない金属のリング下部に弾性体を挿入したもの、であることを特徴とする、杖の立て掛け用リング。
（３）、（１）または（２）に記載の杖の立て掛け用リングを付属したことを特徴とする、杖。
【発明の効果】
【００１４】
本発明により、足の悪い人が日常使用する、杖に関し、レストラン等のテーブルあるいは机に杖を掛けて置く時、杖がテーブルあるいは机から滑り落ちにくくて、握り部の材質、デザイン性も使用者の好みも満足され、購入済みの杖にも容易に取り付けることができることを配慮した滑り防止具、およびそれを付属した杖を提供することができる。
【発明を実施するための最良の形態】
【００１５】
（１）杖本体部の下部に先端部が取り付けられており、上部には握り部を設けている一般的な杖において、該杖を使用しないときに立て掛けておくための、握り部の略先端部に嵌めて取り付けることを特徴とする、杖の立て掛け用リング。
（２）リングが弾性体、あるいは、金・白金・クロムなどのメッキ加工をした金属のリング下部に弾性体を挿入したもの、もしくは、金・白金・チタン・ステンレス鋼などの錆びない金属のリング下部に弾性体を挿入したもの、であることを特徴とする、杖の立て掛け用リング。金属リングを使用した場合は、貴金属の場合、特に、高価なものになるが、リングに自分の名前を刻印することもできる。これにより、自分の杖に対する愛着もさらに湧くものとなる。また他人の杖との区別も容易となる。
【実施例】
【００１６】
以下に本発明を実施例に基づいて説明するが、本発明は実施例に限定されるものではない。
図１には、滑り止めリング付杖の全体図を示す。一般的に滑り止めリングは２ａの握り部（親指と人指し指が掛かる部）に取り付ける。それは、２ａが２ｂよりも、長いからである。図２には、リングの態様例を示す。図２のリングは、図３には、握り部にリングを取り付けた図（Ａ、後から付ける）（Ｂ、最初から付ける）を示す。図４最初から付けた場合の握り部のリング取り付け部の断面（Ａ、主として弾性体用の例）（Ｂ、主として金属リング用の例）を示す。最初から杖に付ける場合は、金属リング（下部に弾性体を挿入してある）を取り付けることも可能である。また、最初から杖にリングを取り付けると、リングが握り部表面と同じ高さに出来、デザイン性もさらによくなる。
【００１７】
リングの形状としては、図２に示すように、２１滑り止めリング（フラットな表面）、２２  滑り止めリング（表面に突起付／突起はリング全体付けても良いし、あるいはリングの一部に付けても良い）、２３滑り止めリング（握り部の形状に合わせリングが落ちないような形状にしたもの／リングの形状を握り部にフィットするようにしたもの）、２４滑り止めリング（握り部の形状に合わせリングが落ちないような形状にしたもの／リングの形状を握り部にフィットするようにしたもの）、２５滑り止めリング（全体を金、白金、ステンレス鋼等の金属とし、リングの下部のみに弾性体を挿入して見栄えを良くしたもの、名前の刻印が可能である）などいろいろなバリエーションが考えられる。
【００１８】
弾性体リングとしては、ゴムや弾性体プラスチックなどが使用可能である。弾性体リングの表面の一部あるいは全体は、突起状にすることにより、滑り止め効果は増大する。金属リングの場合は、下部に弾性体を挿入できるようにリングに挿入孔を空けた形状にする。
【図面の簡単な説明】
【００１９】
【図１】滑り止めリング付杖の全体図
【図２】リングの態様例
【図３】握り部にリングを取り付けた図（Ａ、後から付ける）（Ｂ、最初から付ける）
【図４】最初から付けた場合の握り部の断面（Ａ、主として弾性体用）（Ｂ、主として金属リング用）
【図５】最も一般的な杖の握り部の図
【図６】指の形状に合うようにした杖の握り部の図
【図７】ペットボトルを切断してベッドの支柱に杖を差し込むようにした図
【図８】壁のフックに杖のベルトを利用して杖を引っ掛けるようにした図
【図９】杖本体部に取り付けた、先端にゴムの付いた固定用ピンで机に掛けた図
【図１０】最も一般的な杖を机に立て掛けた図
【図１１】握り部に穴を開けゴムを取り付け机に掛けるようにした図（従来の技術）
【図１２】握り部に突起物とゴムを取り付け机に掛けるようにした図（従来の技術）
【符号の説明】
【００２０】
１  杖本体部
２  握り部
２ａ  握り部（親指と人指し指が掛かる部）
２ｂ  握り部（２ａに対し後部）
３  先端部（滑り止めのゴム）
４  長さ調節用リング
５  長さ調節用ピン
６  ベルト
２１  滑り止めリング（フラットな表面）
２２  滑り止めリング（表面に突起付）
２３  滑り止めリング（握り部の形状に合わせリングが落ちないような形状にしたもの）
２４  滑り止めリング（握り部の形状に合わせリングが落ちないような形状にしたもの）
２５  滑り止めリング（全体を金、白金等の金属とし、リングの下部のみに弾性体を挿入して見栄えを良くはたもの）
３１  滑り止めリングが出ていないようにする握り部のリング取り付け溝（主として、弾性体用）
３２  滑り止めリングが出ていないようにする握り部のリング取り付け溝（主として、全体面を金、白金等の金属とし、リングの下部のみに弾性体を挿入して見栄えを良くしたもの用）
７  ペットボトルを切断して作った杖の固定具
８  壁のフック
９  杖本体に付属した固定用ピン（先端にゴムが付いている）
１０  握り部のゴムの突起取り付け用穴
１１  握り部に付けたゴムの突起
１２  握り部の突起物
１３  握り部の突起物の先端のゴム
【図１】
2006262953.tif 000003
【図２】
2006262953.tif 000004
【図３】
2006262953.tif 000005
【図４】
2006262953.tif 000006
【図５】
2006262953.tif 000007
【図６】
2006262953.tif 000008
【図７】
2006262953.tif 000009
【図８】
2006262953.tif 000010
【図９】
2006262953.tif 000011
【図１０】
2006262953.tif 000012
【図１１】
2006262953.tif 000013
【図１２】
2006262953.tif 000014